(57)【要約】【課題】用途の異なる複数の部屋から容易に収納可能な収納所を有する建物を提供する。【解決手段】床の上にスキップ床を有し、床とスキップ床との間に壁で囲まれる収納所３０が設けられた建物である。収納所３０には異なる部屋へ通じる複数の出入口３１、３２が設けられているので、各出入口を通じて異なる部屋から荷物を収納所内へ搬出入することができる。例えば、収納所３０がキッチン１０及びリビングルーム２０と隣接している場合には、キッチン１０で日常的に用いる物を、収納所３０のキッチン１０へ通じる出入口３１付近に収納して容易に搬出入することができ、リビングルーム２０で日常的に用いる物を、収納所のリビングルームへ通じる出入口３２付近に収納して容易に搬出入することができる。【選択図】図２
2005264540.tif 000002
【特許請求の範囲】
【請求項１】
床の上にスキップ床を有し、前記床と前記スキップ床との間に壁で囲まれる収納所が設けられた建物であって、前記収納所には異なる部屋へ通じる複数の出入口が設けられていることを特徴とする建物。
【請求項２】
前記収納所はキッチンと隣接しており、前記出入口の１つはキッチンへ通じていることを特徴とする請求項１に記載の建物。
【請求項３】
前記収納所はリビングルームと隣接しており、前記出入口の１つはリビングルームへ通じていることを特徴とする請求項１または２に記載の建物。
【請求項４】
前記収納所に隣接する部屋には、建物の外部へ通じる開口部が前記出入口と対向して設けられていることを特徴とする請求項１〜３のいずれか一項に記載の建物。
【請求項５】
前記開口部はデッキスペースへ通じていることを特徴とする請求項４に記載の建物。
【発明の詳細な説明】
【技術分野】
【０００１】
本発明は、床の上にスキップ床を設けた建物に関する。
【背景技術】
【０００２】
上階の床と下階の床との間にスキップ床を設け、スキップ床と上階の床との間に壁で囲まれる収納所を設け、収納所に隣接して、スキップ床と同じ高さに階段の踊り場を設けるとともに、踊り場に収納所への出入口を設けたものが知られている（特許文献１参照）。
【０００３】
また、収納所に隣接して、収納所と同じ床レベルの居室を設けるとともに、当該居室に収納所への出入口を設けた建物もある（特許文献２参照）。従来の収納所は上階の床と下階の床との間のスキップ床の床レベルに収納所を設けるため、上階の荷物と下階の荷物のいずれを収納所へ出し入れする場合にも便利であった。
【特許文献１】特許第２５４９２４２号明細書
【特許文献２】特開２００４−１１３３６号公報
【発明の開示】
【発明が解決しようとする課題】
【０００４】
収納所は出入口から奥へ行くほど荷物の出し入れがしにくいため、日常使用しないものを収納所の奥に長期間保管し、普段使う物を出入口付近に収納することが一般的である。しかし、例えば収納所への出入口がリビングルームのみにある場合には、キッチンで普段使う物を収納することが不便であり、また、収納所への出入口がキッチンのみにある場合には、リビングルームで普段使う物を収納することが不便であった。
【０００５】
本発明の課題は、用途の異なる複数の部屋から容易に収納可能な収納所を有する建物を提供することである。
【課題を解決するための手段】
【０００６】
以上の課題を解決するため、請求項１に記載の発明は、図１〜図３に示すように、床の上にスキップ床を有し、前記床と前記スキップ床との間に壁で囲まれる収納所３０が設けられた建物であって、前記収納所３０には異なる部屋へ通じる複数の出入口３１、３２が設けられていることを特徴とする。
【０００７】
請求項１に記載の発明によれば、収納所３０には異なる部屋へ通じる複数の出入口３１、３２が設けられているため、各出入口３１、３２を通じて異なる部屋から荷物を収納所３０内へ搬出入することができる。
【０００８】
請求項２に記載の発明は、請求項１に記載の建物であって、図２（ａ）または図３（ａ）に示すように、前記収納所３０はキッチン１０と隣接しており、前記出入口３１、３２の１つ（出入口３１）はキッチン１０へ通じていることを特徴とする。
【０００９】
請求項２に記載の発明によれば、収納所３０がキッチン１０と隣接しており、出入口３１、３２の１つ（出入口３１）がキッチン１０へ通じているため、キッチン１０で日常的に用いる物を容易に搬出入することができるように、収納所３０の出入口３１付近に収納することができる。
【００１０】
請求項３に記載の発明は、請求項１または２に記載の建物であって、図２（ａ）または図３（ｂ）に示すように、前記収納所３０はリビングルーム（リビング・ダイニングルーム２０）と隣接しており、前記出入口３１、３２の１つ（出入口３２）はリビングルームへ通じていることを特徴とする。
【００１１】
請求項３に記載の発明によれば、収納所３０がリビングルーム（リビング・ダイニングルーム２０）と隣接しており、出入口３１、３２の１つ（出入口３２）がリビングルームへ通じているため、リビングルームで日常的に用いる物を容易に搬出入することができるように、収納所３０の出入口３２付近に収納することができる。
【００１２】
請求項４に記載の発明は、請求項１〜３のいずれか一項に記載の建物であって、図２（ａ）または図３に示すように、前記収納所３０に隣接する部屋（キッチン１０またはリビング・ダイニングルーム２０）には、建物の外部へ通じる開口部（窓１２または窓２４）が前記出入口３１、３２と対向して設けられていることを特徴とする。
【００１３】
請求項４に記載の発明によれば、収納所３０に隣接する部屋（キッチン１０またはリビング・ダイニングルーム２０）には、建物の外部へ通じる開口部（窓１２または窓２４）を収納所３０への出入口３１、３２と対向して設けることで、開口部（窓１２または窓２４）と出入口３１、３２とを通じて光を建物の外部から収納所３０内に差し込ませることができ、収納所３０内を明るくすることができる。
【００１４】
請求項５に記載の発明は、請求項４に記載の建物であって、図２（ａ）または図３（ｂ）に示すように、前記開口部（窓２４）はデッキスペース（バルコニー２３）へ通じていることを特徴とする。
【００１５】
ここで、デッキスペースとしては、バルコニー２３の他に、例えば、ベランダや、インナーバルコニー等がある。
【００１６】
請求項５に記載の発明によれば、開口部（窓２４）がデッキスペース（バルコニー２３）へ通じているため、収納所３０の南側の出入口３２を開けておくと、デッキスペース（バルコニー２３）から収納所３０に隣接する部屋（リビング・ダイニングルーム２０）を通して収納所３０内へ、あるいは収納所３０内から隣接する部屋（リビング・ダイニングルーム２０）を通してデッキスペース（バルコニー２３）へと視線が通り、開放感のある広々とした空間とすることができる。
【発明の効果】
【００１７】
本発明によれば、収納所に異なる部屋へ通じる複数の出入口が設けられているため、各出入口を通じて異なる部屋から荷物を収納所内へ搬出入することができる。
【００１８】
例えば、収納所がキッチンと隣接しており、出入口の１つがキッチンへ通じている場合には、キッチンで日常的に用いる物を容易に搬出入することができるように、収納所の出入口付近に収納することができる。
【００１９】
あるいは、収納所がリビングルームと隣接しており、出入口の１つがリビングルームへ通じている場合には、リビングルームで日常的に用いる物を容易に搬出入することができるように、収納所の出入口付近に収納することができる。
【００２０】
また、収納所に隣接する部屋に、建物の外部へ通じる開口部を収納所への出入口と対向して設けることで、開口部と出入口とを通じて光を建物の外部から収納所内に差し込ませることができ、収納所内を明るくすることができる。
【００２１】
さらに、開口部がデッキスペースへ通じているため、収納所の南側の出入口を開けておくと、デッキスペースから収納所に隣接する部屋を通して収納所内へ、あるいは収納所内から隣接する部屋を通してデッキスペースへと視線が通り、開放感のある広々とした空間とすることができる。
【発明を実施するための最良の形態】
【００２２】
以下、本発明の実施の形態について詳細に説明する。図１及び図２は本発明の建物の形態例を示す間取り図であり、図１は１階の間取り図であり、図２（ａ）は２階、図２（ｂ）は２階の床よりも上のスキップフロアを示す間取り図である。また、図３は図１及び図２の建物の床構成を示す概略図であり、図３（ａ）は南側から、図３（ｂ）は西側から見た立面図である。
【００２３】
建物の玄関１は、図１に示すように、１階の北東に設けられている。玄関１を入った玄関ホール２の東側には、２階へ上がる階段３がある。玄関ホール２は、建物の西側にある和室４に通じている。また、玄関ホール２は、建物の南東にある居室５、南西にある居室６、及び和室４と居室６との間のトイレ７へ通じている。和室４及び居室５、６には、それぞれ収納スペース４ａ、５ａ、６ａが設けられている。また、建物の北西側には浴室８があり、玄関１の土間床１ａの西側には、玄関ホール２から浴室８へ通じる廊下９がある。
【００２４】
階段３を上がった２階の部屋は、図２（ａ）に示すように、キッチン１０、及びリビング・ダイニングルーム２０が一体となったＬ字形の空間（ＬＤＫ）を形成している。ＬＤＫの北東部にはキッチンユニット１１が配置され、キッチン１０として機能している。キッチンユニット１１の配置された東側の外壁には、窓１２が形成されている。
【００２５】
また、ＬＤＫの南部にはテーブル２１や椅子２２等が配置され、リビング・ダイニングルーム２０として機能している。リビング・ダイニングルーム２０の南側にはバルコニー２３があり、南側の外壁には、バルコニー２３へ通じる出入口ともなる大開口の窓２４が形成されている。また、リビング・ダイニングルーム２０の西側の外壁にも、窓２５が形成されている。
【００２６】
ＬＤＫの北西部には、収納所３０が形成されている。収納所３０の天井高さは９０ｃｍ以上１４０ｃｍ以下であり、２階の他の部屋よりも低くなっている。収納所３０の天井はスキップ床となっており、スキップ床の上部は中２階となっている。
【００２７】
収納所３０の北側には、中２階へ上がる階段１３があり、階段１３の北側には収納スペース１４がある。階段を上がると、図２（ｂ）に示すように、正面にはトイレ１５があり、左側には寝室１６がある。寝室１６の下は収納所３０となっている。
【００２８】
建物の屋根は、図３（ａ）に示すように、東西方向に傾斜しており、寝室の天井高さを充分に確保するために、スキップフロアのある西側が高くなっている。また、リビング・ダイニングルーム２０の西側は、スキップフロアの高さだけ天井が高くなり、開放的な空間となっている。
【００２９】
この建物の収納所３０には、東側と、南側との２箇所に出入口３１、３２が設けられている。東側の出入口３１はキッチン１０に通じているため、収納所３０の東側の出入口３１付近には、例えば焼肉用の電磁プレートやジューサー等の調理器具や季節の食器等を容易に収納することができる。
【００３０】
また、南側の出入口３２はリビング・ダイニングルーム２０に通じているため、収納所３０の南側の出入口３２付近には、新聞、雑誌や、生活に必要な備品その他の日常的に使用する物を容易に収納することができる。
【００３１】
また、収納所３０の出入口３１、３２から遠い場所には、来客用の寝具や、季節家電や衣類など夏冬で交換する物、昔の写真やお祝い物等の長期間保管する物を収納することができる。このように、機能の異なる部屋と収納所３０との間に出入口を設けることで、収納所３０をより多角的に利用することができる。
【００３２】
また、収納所３０の東側の出入口３１は、キッチン１０の東側の窓１２と対向するように配置することが好ましい。出入口３１が窓１２と対向している場合には、図３（ａ）に示すように、出入口３１を開けておくことで、窓１２から建物内部へ入った光が出入口３１から収納所３０内へ差し込み、収納所３０内を明るくすることができる。
【００３３】
同様に、収納所３０の南側の出入口３２は、リビング・ダイニングルーム２０の南側の窓２４と対向するように配置されることが好ましい。出入口３２が窓２４と対向している場合には、図３（ｂ）に示すように、出入口３２を開けておくことで、窓２４から建物内部へ入った光が出入口３２から収納所３０内へ差し込み、収納所３０内を明るくすることができる。
【００３４】
さらに、収納所３０の南側の出入口３２には、リビング・ダイニングルーム２０の西側の窓からも光を差し込ませることができる。収納所３０の東側及び南側の出入口３１、３２を両方開けておくと、西側の窓２５から光が差し込んで収納所３０が明るくなるため、キッチン１０も明るくすることができる。
【００３５】
また、リビング・ダイニングルーム２０の南側にはバルコニー２３があるため、収納所３０の南側の出入口３２を開けておくと、バルコニー２３からリビング・ダイニングルーム２０を通して収納所３０内へ、あるいは収納所３０内からリビング・ダイニングルーム２０を通してバルコニー２３へと視線が通り、開放感のある広々とした空間とすることができる。
【００３６】
なお、以上の実施の形態においては、２階の床の上にスキップフロアがある建物に着いて説明したが、１階の床の上にスキップフロアがある建物であってもよい。また、リビング・ダイニングルーム２０の南側にバルコニー２３が隣接している代わりに、キッチン１０の東側にバルコニーが隣接していてもよい。
【００３７】
また、デッキスペースとしてバルコニー２３の代わりにベランダやインナーバルコニーを設けてもよい。その他設計上の具体的な細部構造についても変更可能であることはもちろんである。
【図面の簡単な説明】
【００３８】
【図１】本発明の建物の１階の間取り図である。
【図２】（ａ）は本発明の建物の２階の間取り図であり、（ｂ）は本発明の建物の中２階の間取り図である。
【図３】本発明の建物の床構造を示す概略図であり、（ａ）は南側から見た立面図、（ｂ）は西側から見た立面図である。
【符号の説明】
【００３９】
１０   キッチン
１２、２４    窓
２０   リビング・ダイニングルーム
２３   バルコニー
３０   収納所
３１、３２    出入口
【図１】
2005264540.tif 000003
【図２】
2005264540.tif 000004
【図３】
2005264540.tif 000005